(57)【要約】      （修正有）【課題】電気、灯油を全く使用しないで土壌を加温する浅層地中加温システムを提供する。【解決手段】太陽光線を吸収できる黒色プラスチックフイルムで出来た円柱体と、その径より大きな径の透明フイルムで円柱を包み、地上に寝せて置いた状態で内側円柱袋に水を充填し、その外側に空気を充填し、密閉して使用する土壌加温用フイルムバッグ太陽集蓄熱器を作土上に設置し、日中は太陽熱を集蓄熱し、その蓄熱量は土壌にゆっくり熱伝導し、土壌に蓄熱して翌日早朝の最低室温時の土壌の加温熱源とする。【選択図】図５
2014079169.tif 000002
【特許請求の範囲】
【請求項１】
太陽光線を吸収できる黒色プラスチックフイルムで出来た円柱体と、その径より大きな径の透明フイルムで円柱を包み、地上に寝せて置いた状態で内側円柱袋に水を充填し、その外側に空気を充填し、密閉して使用する土壌加温用フイルムバッグ太陽集蓄熱器
【請求項２】
前記袋の両端は、底にゴムの付いた溝が複数本外周に付いた楕円形の止水板付継手の外側に集熱用フイルム袋の端を被せ、外側からステンレスワイヤーにてフイルムを溝に押し込み止水するバルブの付いた継手で止めるフイルムバッグ太陽集蓄熱器
【請求項３】
前記袋の両端の給水用継手の上部に空気層を形成する空気圧入用パイプの付いたスペーサーを挿入して、止水板継手と一体にステンレスワイヤーで締結する二段重ね構造の継手で構成したフイルムバッグ太陽集蓄熱器
【請求項４】
作土を土盛りし、透明フイルム又は透過断熱層付透明フイルムで覆って太陽土壌集蓄熱塔を作り、その最上部に前記袋を載荷して使用するフイルムバッグ太陽集蓄熱器
【発明の詳細な説明】
【技術分野】
【０００１】本発明は太陽集蓄熱器に係り、より詳しくはプラスチックフイルムを用いて上部表面は、断熱性が高く、且、光線透過率が高く、下部底面は断熱性がない太陽集蓄熱袋を構成した栽培土壌を加温する太陽熱暖房機に関する。
【背景技術】
【０００２】昨今、施設園芸ハウスの暖房用灯油ボイラー等のＣＯ２排出削減が求められている。省エネ技術として土壌深層加温システムが採用し始めており、燃油の削減が進みつつあるが、何れも電気又は燃油を使う事に変りはない。一方、太陽熱暖房機は初期設置費用が大きく、安価な野菜栽培向けには採算が合わない。太陽熱を利用する方法としてトンネル栽培が普及しているが、寒冷期には充分でなく早朝の一番低温になる時間帯に殖生域温度の下限温度を守るピークエネルギーの供給技術が求められている。
【先行技術文献】
【非特許文献】
【０００３】
【非特許文献１】社団法人  日本太陽エネルギー学会  １９８１年  ｖｏｌ．７、Ｎｏ．４  通巻２７、７頁  施設園芸における太陽熱利用
【非特許文献２】社団法人日本施設園芸協会、平成１６年３月発行  平成１５年度最先端施設園芸技術  実用化推進事業報告書  ２１〜３３頁
【発明の概要】
【発明が解決しようとする課題】
【０００４】早朝最低温時に殖生域温度を作物の下限室温、例えば促成イチゴの場合は約２℃に維持するための土壌温度を加温維持するだけの熱量を供給する必要がある。
【課題を解決するための手段】
【０００５】作物の条間、又はトンネル内中心部に、太陽集蓄熱性の高い水の入ったプラスチックフイルムで出来たバッグを置き、日中太陽熱を集蓄熱し、夜間そのフイルムバッグの下側より接している土壌に熱伝導して土壌を加温する。日射のない夜間に土壌を加温する熱源はそのフイルムバッグの熱源のみであり、土壌の蓄熱性と断熱性が有効に作用し、時間をかけてフイルムバッグの熱量を土壌に伝導し、作物の下限室温を維持する。【０００６】フイルムバッグの表面は透明フイルムでその内側に水の入った黒色フイルム袋でできており、水温が外部に放熱しないよう、上部が透過断熱層の構造であり、下部は土壌に水の自重で接しており熱伝導性が適宜有る、長尺の集蓄熱袋を構成している。通常トンネル内に設置して使用する。トンネルを作らない場合は集蓄熱量を多くしなければならなく、太陽集蓄熱塔を作り、その上にフイルムバッグを載せる。太陽集蓄熱塔の作り方は盛土の上に透明フイルムを張り、エアーキャップ等のスペーサーの付いた透明フイルムをその上側に張り透過断熱層を構成して、太陽熱供給源を作る。【０００７】フイルムバッグの注水量は作物とその地域の温度により異なり、フイルムバッグの温度を高温にしたい時は水の量を少なくして集熱面積を大きくし、蓄熱量を多くしたい時は注水量を多くすると良い。水量と空気量を決め、その地域の気温に対応する。夏期の使用しない時は水を入れないで、まるめて格納出来る柔軟性のある１００℃に耐えられるフイルムで出来ている事が好ましい。
【発明の効果】
【０００８】施設園芸ハウス内の作物の畝間に置かれたフイルムバッグに入った日射は黒色集熱袋に当たり、筒の水温を上昇させる。上部は密閉された空気層であり、断熱層が形成され、汲み置き型太陽熱温水器として機能し、水温は昇温し、日射の無くなる夕方、４０℃以上になる。翌早朝４時〜５時頃、室温が作物下限温度に近づいても土壌温度はフイルムバッグによる加温が継続し、作物下限温度以下にならない。【０００９】作物下限温度の高い品種には、フイルムバッグの日射量に応じて径を大きくし、蓄熱容量と集熱面積を大きくしなければならない。その関係は、地域の気温と冬期の日射量の関係で決まる。
【図面の簡単な説明】
【００１０】
【図１】本発明の一実施形態に係るフイルムバッグ太陽集蓄熱器  正面模式図
【図２】同    上                              横面模式図
【図３】フイルムバッグ太陽集蓄熱塔拡大模式図
【図４】継手横面図
【図５】野菜栽培地に使用中の断面温度分布模式図
【発明を実施する為の形態】
【００１１】以下に図面を参照して本発明の実施形態を詳細に記載する。この記載は本発明を説明する為のものであって、この記載によって本発明の技術範囲を限定するものではなく、本発明の技術範囲から逸脱しない範囲で多様に変更して実施する事が可能である。
【００１２】インフレ成形機により、同じ長さで径違いの筒状フイルムを外側は透明で内側は黒色のフイルムを作る。筒状黒色フイルムの両端をバルブ付専用継手で締結し、作土上に筒状体を横に置き、黒色フイルム袋が楕円状に収まるよう様、注水量を加減する。筒状透明フイルムの両端内側に継手の勘合する部分に薄いゴム製のリング状バンドを取り付け、密閉し、空気圧を維持して集熱面の断熱性を維持する。
【００１３】図５は本発明のフイルムバッグの一実施形態に係る概略を示す温度分布栽培模式図である。野菜の畝間にハウスの長手方向に平行にフイルムバッグを野菜の丈の高さ以上に土盛りしてその上に置く。外気温度の低い地域は、盛り土の上側に透明のフイルムを張り、室温と土壌の温度差を多くとる場合はその上にエアーキャップ等の付いた透明フイルムで覆い、断熱性を高めた太陽集蓄熱塔を作り、その上にフイルムバッグを置く。日中日射により蓄熱したフイルムバッグの温度は午後２時最高温度を記録し、その熱は接している土壌に伝わり、日射が無くなると徐々に温度降下して行く。透過断熱層により、フイルムバッグの水の熱は上部より室内に逃げる対流熱損失の量は少なく、土壌に伝熱する量のほうが多く、又、土壌の伝熱速度は遅いので、翌朝５時前後まで土壌を加温し、殖生域温度の維持に役立つ。
【００１４】８時前後日射が出始めると同時にハウス及びトンネル内温度は上昇し、フイルムバッグは集熱を開始する。日射量が多く室温が高い場合、ハウスのフイルムを巻き上げるか、又はトンネルを取り払い作物の上限室温以下に管理するが、フイルムバッグは昇温を続ける。室温を加温するより根圏域を加温する方が室温を上げるより、作物の生育には有効であり、経済的である事は非特許文献２の通り周知の事実であり、土壌を加温する事により室温を維持する暖房方式は最も合理的である。この場合集熱、蓄熱、放熱に人為的な操作の必要がなく、自然のサイクルに従って自動的に集熱、蓄熱、放熱即ち殖生域を加温する理想的な栽培システムである。
【実施例】
【００１５】北緯４２°３１′３  経度１４２°２′２  標高１０ｍ  北海道日高門別株式会社ソラール実験農場にて、東西５０ｍのハウス内に巾１．８ｍのトンネルを作り、両サイドに以下のフイルムバッグを２本ずつ設置した。折径２０ｃｍの透明なポリプロピレン筒状フイルムの内側に折径１５ｃｍの黒色ポリプロピレン筒状フイルムを挿入し、図１の通りに黒色フイルム２を継手４にかぶせ、ステンレスワイヤーで７の溝にはめ込んで７の底にあるゴムリングにフイルムをきつくしぼり込み、止水を完全にし、その上側にスペーサー５を挟み込み、その上に透明フイルム３を被せ、その上からステンレスワイヤーで巻き付け止めた。次に継手４に付いているホース接続口に給水ホースを接続し、図１のよう楕円状になるまで給水し、スペーサー５に付いてる接続口８より空気を入れた。【００１６】トンネルの作土層の地下３ｃｍ、１０ｃｍ、２０ｃｍに熱電対を挿入し、土壌温度と外気温度、日射量、フイルムバッグの水温を計測した2014079169.tif 000003
３月３日午後２時に４２．７６℃あったフイルムバッグの温度は地中に伝熱し、３月４日午前４時、外気温度−１３．２７℃の時、９．１４℃になり、土中３ｃｍの位置で６．７℃でトンネル内温度は１．９９℃を記録した。３月４日午前８時土中３ｃｍの温度は最低温度５．６３℃を記録した。この時、日射が出始めフイルムバッグの水温は、１０．１５℃に上昇した。トンネル内温度は日射により昇温し始めイチゴの下限室内温度約２℃は維持できた。
【産業上の利用可能性】
【００１７】施設園芸ハウスの暖房はほとんどが灯油温風暖房機により室温を加温しており、灯油の値上がりにより、農家の経営を圧迫している。丈の低い野菜類はフイルムバッグ太陽集蓄熱器のみで土壌を加温することで暖房が可能になり、大幅にコストの削減になる。その値段も一冬の灯油代で購入でき、安価である。世界的ＣＯ２排出削減運動が高まる中、この自然エネルギー利用技術は大きく役立つ。
【符号の説明】
【００１８】１    フイルムバッグ太陽集蓄熱器２    フイルムバッグ集熱袋３    フイルムバッグ透明袋４    フイルムバッグ用専用継手５    フイルムバッグ透過断熱層用スペーサー６    フイルムバッグ専用継手給排水口７    フイルムバッグ継手のゴム付きフイルム締付溝８    空気圧入口９    作土層  中温域１０  作土層  高温域１１  作土層  標準温度域１２  室内温度  生育温度下限域１３  外気温度  低温域１４  透明遮熱フイルム１５  透明フイルム１６  フイルムスペーサー１７  太陽集蓄熱塔
【図１】
2014079169.tif 000004
【図２】
2014079169.tif 000005
【図３】
2014079169.tif 000006
【図４】
2014079169.tif 000007
【図５】
2014079169.tif 000008
【手続補正書】
【提出日】平成24年8月30日(2012.8.30)
【手続補正１】
【補正対象書類名】明細書
【補正対象項目名】００１２
【補正方法】変更
【補正の内容】
【００１２】インフレ成形機により、同じ長さで径違いの筒状フイルムを外側は透明で内側は黒色のフイルムを作る。
継手４の外周にある溝の底部にゴムリングをはめ込み、その上にフイルムバッグ黒色集熱袋２の端部を被せ、その溝の上部のフイルムの外周をステンレスワイヤーにて緊締して水蜜性を保つ。その継手４の外周に溝付き透過断熱層用スペーサー５を載荷し、その溝の底部にゴムリングをはめ込み、その外周にフイルムバッグ透明袋３の端をかぶせ、溝の外周をステンレスワイヤーにて緊締して一定の空気層を作る。
２及び３のフイルムバッグの両端を緊締した後作土上にハウスの長手方向にハウスと同じ長さに置き、フイルムバッグ黒色集熱袋２が楕円状に収まる様、注水量を加減する。フイルムバッグ透明袋３の空気の量は透明袋と黒色袋の最上部が密着しない様に空気の量を加減する。
【手続補正２】
【補正対象書類名】明細書
【補正対象項目名】００１４
【補正方法】変更
【補正の内容】
【００１４】８時前後日射が出始めると同時にハウス及びトンネル内温度は上昇し、フイルムバッグは集熱を開始する。日射量が多く室温が高い場合、ハウスのフイルムを巻き上げるか、又はトンネルを取り払い作物の上限室温以下に管理するが、フイルムバッグは昇温を続ける。
室温を加温するより根圏域を加温する方が室温を上げるより、作物の生育には有効であり、経済的である事は非特許文献２の通り周知の事実であり、土壌を加温する事により室温を維持する暖房方式は最も合理的である。この場合集熱、蓄熱、放熱に人為的な操作の必要がなく、自然のサイクルに従って自動的に集熱、蓄熱し、殖生域に放熱、即ち加温する理想的な栽培システムである。
前日の日射量が極端に不足した場合に備え、朝４時〜５時の土壌温度が最低下限温度以下に下がる場合、補助熱源として別の熱源を使用してフイルムバッグの水を循環加温する事は容易に出来、設備費も燃料費も僅少ですむ。
【手続補正３】
【補正対象書類名】明細書
【補正対象項目名】００１５
【補正方法】変更
【補正の内容】
【００１５】北緯４２°３１′３  経度１４２°２′２  標高１０ｍ  北海道日高門別株式会社ソラール実験農場にて、東西５０ｍのハウス内に巾１．８ｍのトンネルを作り、両サイドに以下のフイルムバッグを２本ずつ設置した。
折径２０ｃｍの透明なポリプロピレン筒状フイルムの内側に折径１７ｃｍの黒色ポリプロピレン筒状フイルムを挿入し、図１の通りにフイルムバッグ黒色集熱袋２をゴムリング付溝付フイルムバッグ継手４にかぶせ、その溝上をステンレスワイヤーにて緊締し、その外周にスペーサー５を載荷し、その外周にフイルムバッグ透明袋３をかぶせ、溝の外周をステンレスワイヤーにて緊締した。次に継手４に付いているホース接続口に給水ホースを接続し、図１のよう楕円状になるまで給水し、スペーサー５に付いている接続口８より空気を入れた。
【手続補正４】
【補正対象書類名】明細書
【補正対象項目名】００１８
【補正方法】変更
【補正の内容】
【００１８】１  フイルムバッグ太陽集蓄熱器
２  フイルムバッグ黒色集熱袋
３  フイルムバッグ透明袋
４  フイルムバッグ用継手
５  フイルムバッグ透過断熱層用スペーサー
６  フイルムバッグ継手給排水口
７  フイルムバッグ継手のゴムリングフイルム締付溝
８  空気圧入口
９  作土層  中温域
１０作土層  高温域
１１作土層  標準温度域
１２室内温度  生育温度下限域
１３外気温度  低温域
１４透明遮熱フイルム
１５透明フイルム
１６フイルムスペーサー
１７太陽集蓄熱塔
【手続補正５】
【補正対象書類名】特許請求の範囲
【補正対象項目名】全文
【補正方法】変更
【補正の内容】
【特許請求の範囲】
【請求項１】
太陽熱を吸収する黒色プラスチックフイルムの円柱袋と該円柱袋の直径より大きい直径の透明なプラスチックフイルムの円柱袋の二重袋で成り、内側の円柱袋には水を充填し、内側と外側の円柱袋の間に空気層を形成するように、前記二重袋の両端部に空気圧入口と給水口を有する継手を設けて成る土壌加温用太陽集蓄熱器
【手続補正６】
【補正対象書類名】図面
【補正対象項目名】図１
【補正方法】変更
【補正の内容】
【図１】
2014079169.tif 000009
【手続補正７】
【補正対象書類名】図面
【補正対象項目名】図２
【補正方法】変更
【補正の内容】
【図２】
2014079169.tif 000010
【手続補正８】
【補正対象書類名】図面
【補正対象項目名】図４
【補正方法】変更
【補正の内容】
【図４】
2014079169.tif 000011
【手続補正書】
【提出日】平成25年4月4日(2013.4.4)
【手続補正２】
【補正対象書類名】明細書
【補正対象項目名】０００１
【補正方法】変更
【補正の内容】
【０００１】本発明は太陽集蓄熱器に係り、より詳しくはプラスチックフイルムを用いて上部表面は、断熱性が高く、且、光線透過率が高く、下部底面は断熱性が少ない太陽集蓄熱袋を構成した栽培土壌を加温する太陽熱暖房機に関する。
【手続補正３】
【補正対象書類名】明細書
【補正対象項目名】０００２
【補正方法】変更
【補正の内容】
【０００２】昨今、施設園芸ハウスの暖房用灯油ボイラー等のＣＯ２排出削減が求められている。省エネ技術として土壌深層加温システムが採用し始めており、燃油の削減が進みつつあるが、何れも電気又は燃油を使う事に変りはない。一方、太陽熱暖房機は初期設置費用が大きく、安価な野菜栽培向けには採算が合わない。太陽熱を利用する方法としてトンネル栽培が普及しているが、寒冷期には充分でなく早朝の一番低温になる時間帯に、殖生域温度の生育下限温度を守る限界エネルギーの供給技術が求められている。
【手続補正４】
【補正対象書類名】明細書
【補正対象項目名】０００４
【補正方法】変更
【補正の内容】
【０００４】早朝最低温時に殖生域温度を作物の生育下限室温、例えば促成イチゴの場合は約２℃に維持するための土壌温度を維持するだけの熱量を供給する必要がある。
【手続補正５】
【補正対象書類名】明細書
【補正対象項目名】０００５
【補正方法】変更
【補正の内容】
【０００５】作物の条間、又はトンネル内中心部に、太陽集蓄熱性の高い水の入ったプラスチックフイルムで出来た袋を置き、日中太陽熱を集蓄熱し、そのフイルム製袋の下側より接している土壌に熱伝導して土壌を加温する。日射のない夜間に土壌を加温する熱源はそのフイルム製袋の熱源のみであり、土壌の蓄熱性と断熱性が有効に作用し、時間をかけて袋の熱量を土壌に伝導し、作物の生育下限室温を維持する。
【手続補正６】
【補正対象書類名】明細書
【補正対象項目名】０００６
【補正方法】変更
【補正の内容】
【０００６】該袋の表面は透明フイルムでその内側に水の入った黒色フイルム袋でできており、水温が外部に放熱しないよう、上部は静止空気層があり、透過断熱層の構造であり、下部は土壌に水の自重で接しており熱伝導性が適宜有る、長尺の集蓄熱袋を構成している。通常トンネル内に設置して使用する。トンネルを作らない場合は集蓄熱量を多くしなければならなく、太陽集蓄熱塔を作り、その上に袋を載せる。太陽集蓄熱塔の作り方は盛土の上に透明フイルムを張り、エアーキャップ等のスペーサーの付いた透明フイルムをその上側に張り透過断熱層を構成して、太陽熱供給源を作る。
【手続補正７】
【補正対象書類名】明細書
【補正対象項目名】０００７
【補正方法】変更
【補正の内容】
【０００７】該袋の注水量は作物とその地域の温度により異なり、温度を高温にしたい時は水の量を少なくして集熱面積を大きくし、蓄熱量を多くしたい時は注水量を多くすると良い。水量と空気量を決め、その地域の気温に対応する。夏期の使用しない時は水を入れないで、まるめて格納出来る柔軟性のある１００℃に耐えられるフイルムで出来ている事が好ましい。
【手続補正８】
【補正対象書類名】明細書
【補正対象項目名】０００８
【補正方法】変更
【補正の内容】
【０００８】施設園芸ハウス内の作物の畝間に置かれた該袋に入った日射は黒色集熱袋に当たり、筒の水温を上昇させる。上部は密閉された空気層であり、断熱層が形成され、汲み置き型太陽熱温水器として機能し、水温は昇温し、日射の無くなる夕方、４０℃以上になる。
翌早朝４時〜５時頃、室温が作物生育下限温度に近づいても土壌温度は該袋による加温が継続し、作物生育下限温度以下にならない。
【手続補正９】
【補正対象書類名】明細書
【補正対象項目名】０００９
【補正方法】変更
【補正の内容】
【０００９】作物生育下限温度の高い品種には、該袋は日射量に応じて径を大きくし、蓄熱容量と集熱面積を大きくしなければならない。その関係は、地域の気温と冬期の日射量の関係で決まる。
【手続補正１０】
【補正対象書類名】明細書
【補正対象項目名】００１０
【補正方法】変更
【補正の内容】
【００１０】
【図１】本発明の一実施形態に係るフイルム製袋状太陽集蓄熱器  正面模式図
【図２】            同    上                                横面模式図
【図３】フイルム製袋状太陽集蓄熱塔拡大模式図
【図４】継手横面図
【図５】野菜栽培地に使用中の断面温度分布模式図
【手続補正１１】
【補正対象書類名】明細書
【補正対象項目名】００１２
【補正方法】変更
【補正の内容】
【００１２】インフレ成形機により、同じ長さで径違いの筒状フイルムを外側は透明で内側は黒色のフイルムを作る。
継手４の外周にある溝の底部にゴムリングをはめ込み、その上にフイルム製黒色集熱袋２の端部を被せ、その溝の上部のフイルムの外周をステンレスワイヤーにて緊締して水蜜性を保つ。その継手４の外周に溝付き透過断熱層用スペーサー５を載荷し、その溝の底部にゴムリングをはめ込み、その外周にフイルム製透明袋３の端をかぶせ、溝の外周をステンレスワイヤーにて緊締して一定の空気層を作る。
２及び３の袋の両端を緊締した後作土上にハウスの長手方向にハウスと同じ長さに置き、フイルム製黒色集熱袋２が楕円状に収まる様、注水量を加減する。フイルム製透明袋３の空気の量は透明袋と黒色袋の最上部が密着しない様に空気の量を加減する。
【手続補正１２】
【補正対象書類名】明細書
【補正対象項目名】００１３
【補正方法】変更
【補正の内容】
【００１３】図５は本発明の袋の一実施形態に係る概略を示す温度分布栽培模式図である。野菜の畝間にハウスの長手方向に平行に該袋を野菜の丈の高さ以上に土盛りしてその上に置く。外気温度の低い地域は、盛り土の上側に透明のフイルムを張り、室温と土壌の温度差を多くとる場合はその上にエアーキャップ等の付いた透明フイルムで覆い、断熱性を高めた太陽集蓄熱塔を作り、その上に該袋を置く。日中、日射により蓄熱した黒色袋の温度は午後２時最高温度を記録し、その熱は接している土壌に伝わり、日射が無くなると徐々に温度降下して行く。透過断熱層により、該袋の水の熱は上部より室内に逃げる対流熱損失の量は少なく、土壌に伝熱する量のほうが多く、又、土壌の伝熱速度は遅いので、翌朝５時前後まで土壌を加温し、殖生域温度の維持に役立つ。
【手続補正１３】
【補正対象書類名】明細書
【補正対象項目名】００１４
【補正方法】変更
【補正の内容】
【００１４】８時前後日射が出始めると同時にハウス及びトンネル内温度は上昇し、該袋は集熱を開始する。日射量が多く室温が高い場合、ハウスのフイルムを巻き上げるか、又はトンネルを取り払い作物の上限室温以下に管理するが、該袋は昇温を続ける。
室温を加温するより根圏域を加温する方が室温を上げるより、作物の生育には有効であり、経済的である事は非特許文献２の通り周知の事実であり、土壌を加温する事により室温を維持する暖房方式は最も合理的である。この場合集熱、蓄熱、放熱に人為的な操作の必要がなく、自然のサイクルに従って自動的に集熱、蓄熱し、殖生域に放熱、即ち加温する理想的な栽培システムである。
前日の日射量が極端に不足した場合に備え、朝４時〜５時の土壌温度が生育下限温度以下に下がる場合、補助熱源として別の熱源を使用して該袋の水を循環加温する事は容易に出来、設備費も燃料費も僅少ですむ。
【手続補正１４】
【補正対象書類名】明細書
【補正対象項目名】００１５
【補正方法】変更
【補正の内容】
【００１５】北緯４２°３１′３  経度１４２°２′２  標高１０ｍ  北海道日高門別株式会社ソラール実験農場にて、東西５０ｍのハウス内に巾１．８ｍのトンネルを作り、両サイドに以下の該袋を２本ずつ設置した。
折径２０ｃｍの透明なポリプロピレン筒状フイルムの内側に折径１７ｃｍの黒色ポリプロピレン筒状フイルムを挿入し、図１の通りにフイルム製黒色集熱袋２をゴムリング付溝付継手４にかぶせ、その溝上をステンレスワイヤーにて緊締し、その外周にスペーサー５を載荷し、その外周にフイルム製透明袋３をかぶせ、溝の外周をステンレスワイヤーにて緊締した。次に継手４に付いているホース接続口に給水ホースを接続し、図１のよう楕円状になるまで給水し、スペーサー５に付いている接続口８より空気を入れた。
【手続補正１５】
【補正対象書類名】明細書
【補正対象項目名】００１６
【補正方法】変更
【補正の内容】
【００１６】トンネルの作土層の地下３ｃｍ、１０ｃｍ、２０ｃｍに熱電対を挿入し、土壌温度と外気温度、日射量、該袋の水温を計測した
2014079169.tif 000012
2014079169.tif 000013
３月３日午後２時に４２．７６℃あったフイルム製太陽集蓄熱袋の温度は地中に伝熱し、３月４日午前４時、外気温度−１３．２７℃の時、９．１４℃になり、土中３ｃｍの位置で６．７℃でトンネル内温度は１．９９℃を記録した。３月４日午前８時土中３ｃｍの温度は最低温度５．６３℃を記録した。この時、日射が出始めフイルム製太陽集蓄熱袋の水温は、１０．１５℃に上昇した。トンネル内温度は日射により昇温し始めイチゴの下限室内温度約２℃は維持できた。
【手続補正１６】
【補正対象書類名】明細書
【補正対象項目名】００１７
【補正方法】変更
【補正の内容】
【００１７】施設園芸ハウスの暖房はほとんどが灯油温風暖房機により室温を加温しており、灯油の値上がりにより、農家の経営を圧迫している。丈の低い野菜類はフイルム製太陽集蓄熱袋のみで土壌を加温することで暖房が可能になり、大幅にコストの削減になる。その値段も一冬の灯油代で購入でき、安価である。世界的ＣＯ２排出削減運動が高まる中、この自然エネルギー利用技術は大きく役立つ。
【手続補正１７】
【補正対象書類名】明細書
【補正対象項目名】００１８
【補正方法】変更
【補正の内容】
【００１８】１．フイルム製太陽集蓄熱袋
２．フイルム製黒色集熱袋
３．フイルム製透明袋
４．フイルム製袋の専用継手
５．フイルム製袋の透過断熱層用スペーサー
６．フイルム製袋の継手給排水口
７．フイルム製袋のゴム付き継手のフイルム締付溝
８．空気圧入口
９．作土層  中温域
１０．作土層  高温域
１１．作土層  標準温度域
１２．室内温度  生育温度下限域
１３．外気温度  低温域
１４．透明遮熱フイルム
１５．透明フイルム
１６．フイルムスペーサー
１７．太陽集蓄熱塔